(57)【要約】【課題】脚周り伸縮部よりも前側の領域の変形をコントロールし易い使い捨ておむつを提供する。【解決手段】使い捨ておむつ（１０）は、少なくとも股下域（Ｓ３）に配置された吸収コア（３１）と、吸収コアよりも幅方向の外側に配置され、前後方向に伸縮する脚周り伸縮部（４２）と、吸収コアの変形の基点となる変形基点部（８０）と、を有する。使い捨ておむつ（１０）、吸収コアよりも前側において使い捨ておむつの幅方向の中心を跨いで配置され、幅方向に伸縮する腰周り伸縮部（４５）を備える。変形基点部は、脚周り伸縮部よりも前側において、幅方向に延びている。【選択図】図１
2020195428.tif 000002
【特許請求の範囲】
【請求項１】
互いに直交する前後方向及び幅方向と、
前胴周り域、後胴周り域、及び前記前胴周り域及び前記後胴周り域との間に配置された股下域と、
少なくとも前記股下域に配置された吸収コアと、
前記吸収コアよりも前記幅方向の外側に配置され、前記前後方向に伸縮する脚周り伸縮部と、
前記吸収コアの変形の基点となる変形基点部と、を有する使い捨ておむつであって、
前記吸収コアよりも前側において前記使い捨ておむつの幅方向の中心を跨いで配置され、前記幅方向に伸縮する腰周り伸縮部を備え、
前記変形基点部は、前記脚周り伸縮部よりも前側において、前記幅方向に延びている、使い捨ておむつ。
【請求項２】
前記前後方向に伸縮し、着用者側に起立する収縮部と、前記収縮部よりも前記前後方向の両外側において前記収縮部の起立支点となる前後基端部と、を有する一対の防漏ギャザーを備え、
前記一対の防漏ギャザーは、前記幅方向に間隔を空けて配置されており、
前記前後基端部の少なくとも一部は、前記前後方向における前記腰周り伸縮部と前記変形基点部の間に配置されている、請求項１に記載の使い捨ておむつ。
【請求項３】
前記変形基点部の少なくとも一部は、前記幅方向において前記一対の防漏ギャザーの前記前後基端部間に配置されている、請求項２に記載の使い捨ておむつ。
【請求項４】
前記前後基端部の少なくとも一部は、前記吸収コアと重なる領域に配置されている、請求項２又は請求項３に記載の使い捨ておむつ。
【請求項５】
前記変形基点部の前端縁は、前記収縮部の前端縁よりも前側に位置する、請求項２から請求項４のいずれか１項に記載の使い捨ておむつ。
【請求項６】
前記変形基点部の外側縁は、前記前後基端部の内側縁よりも前記幅方向の外側に位置する、請求項２から請求項５のいずれか１項に記載の使い捨ておむつ。
【請求項７】
前記使い捨ておむつの前記幅方向の中心において、前記腰周り伸縮部は、前記吸収コアと前記前後方向に離間している、請求項１から請求項６のいずれか１項に記載の使い捨ておむつ。
【請求項８】
前記腰周り伸縮部の後端縁における前記幅方向の中心は、前記腰周り伸縮部の後端縁における前記幅方向の側縁よりも前側に配置されている、請求項１から請求項７のいずれか１項に記載の使い捨ておむつ。
【請求項９】
前記変形基点部は、前記吸収コアの前記幅方向の中心に向かって後側に延びる、請求項１から請求項８のいずれか１項に記載の使い捨ておむつ。
【請求項１０】
前記変形基点部の外側縁から前記変形基点部に沿って前記幅方向の外側に延びる延長線は、前記吸収コアの外側縁と交差する、請求項１から請求項９のいずれか１項に記載の使い捨ておむつ。
【請求項１１】
前記変形基点部は、前記吸収コアの前記幅方向の中心を跨いでいる、請求項１から請求項９のいずれか１項に記載の使い捨ておむつ。
【請求項１２】
前記吸収コアの前端縁には、切り欠き部が形成されている、請求項１から請求項１１のいずれか１項に記載の使い捨ておむつ。
【請求項１３】
前記切り欠き部は、前記幅方向に間隔を空けて複数設けられている、請求項１２に記載の使い捨ておむつ。
【請求項１４】
前記変形基点部は、前記切り欠き部から前記前後方向に延びる延長線上に配置されている、請求項１２又は請求項１３に記載の使い捨ておむつ。
【請求項１５】
前記腰周り伸縮部の収縮力は、前記脚周り伸縮部の収縮力よりも高い、請求項１から請求項１４のいずれか１項に記載の使い捨ておむつ。
【発明の詳細な説明】
【技術分野】
【０００１】
本発明は、脚周り伸縮部を有する使い捨ておむつに関する。
【背景技術】
【０００２】
特許文献１には、脚周り伸縮部を有する使い捨ておむつが提供されている。特許文献１の使い捨ておむつは、着用状態において脚周り伸縮部の収縮によって着用者の脚周りにフィットする。
【先行技術文献】
【特許文献】
【０００３】
【特許文献１】特開２０１８−４７２号公報
【発明の概要】
【発明が解決しようとする課題】
【０００４】
しかし、上述の使い捨ておむつは、以下の問題があった。
使い捨ておむつが着用された状態において、脚周り伸縮部は、脚周りにフィットするが、脚周り伸縮部よりも前側の領域は、身体にフィットさせる手段がなく、当該領域の変形をコントロールできないことがあった。そのため、脚周り伸縮部よりも前側の領域の変形については、改善の余地があった。
【０００５】
よって、脚周り伸縮部よりも前側の領域の変形をコントロールし易い使い捨ておむつが望まれる。
【課題を解決するための手段】
【０００６】
一態様に係る使い捨ておむつは、互いに直交する前後方向及び幅方向と、前胴周り域、後胴周り域、及び前記前胴周り域及び前記後胴周り域との間に配置された股下域と、少なくとも前記股下域に配置された吸収コアと、前記吸収コアよりも前記幅方向の外側に配置され、前記前後方向に伸縮する脚周り伸縮部と、記吸収コアの変形の基点となる変形基点部と、を有する使い捨ておむつであって、前記吸収コアよりも前側において前記使い捨ておむつの幅方向の中心を跨いで配置され、前記幅方向に伸縮する腰周り伸縮部を備え、前記変形基点部は、前記脚周り伸縮部よりも前側において、前記幅方向に延びている。
【図面の簡単な説明】
【０００７】
【図１】図１は、実施形態に係る使い捨ておむつの肌面側から見た平面図である。
【図２】図２は、実施形態に係る吸収コアの平面図である。
【図３】図３は、伸長状態の使い捨ておむつのＡ−Ａ断面に沿った模式断面図である。
【図４】図４は、伸長状態の使い捨ておむつのＢ−Ｂ断面に沿った模式断面図である。
【図５】図５は、自然状態の使い捨ておむつのＢ−Ｂ断面に沿った模式断面図である。
【図６】図６は、伸長状態の使い捨ておむつのＣ−Ｃ断面に沿った模式断面図である。
【図７】図７は、自然状態の使い捨ておむつのＣ−Ｃ断面に沿った模式断面図である。
【図８】図８は、自然状態の使い捨ておむつの前胴周り域を肌面側から見た図である。
【図９】図９は、自然状態の使い捨ておむつの前胴周り域を非肌面側から見た図である。
【図１０】図１０は、比較例に係る使い捨ておむつ及び実施の形態に係る使い捨ておむつのパッケージから取り出した状態の斜視図である。
【発明を実施するための形態】
【０００８】
（１）実施形態の概要
本明細書及び添付図面の記載により、少なくとも以下の事項が明らかとなる。
一態様に係る使い捨ておむつは、互いに直交する前後方向及び幅方向と、前胴周り域、後胴周り域、及び前記前胴周り域及び前記後胴周り域との間に配置された股下域と、少なくとも前記股下域に配置された吸収コアと、前記吸収コアよりも前記幅方向の外側に配置され、前記前後方向に伸縮する脚周り伸縮部と、記吸収コアの変形の基点となる変形基点部と、を有する使い捨ておむつであって、前記吸収コアよりも前側において前記使い捨ておむつの幅方向の中心を跨いで配置され、前記幅方向に伸縮する腰周り伸縮部を備え、前記変形基点部は、前記脚周り伸縮部よりも前側において、前記幅方向に延びている。
【０００９】
本態様によれば、腰周り伸縮部によって吸収コアよりも前側の領域が幅方向に収縮する。腰周り伸縮部による幅方向の収縮する変形は、後側に向かって延び、変形基点部に伝わり、変形基点部よりも前側の領域が変形基点部よりも後側の領域に対して厚さ方向に変形する。変形基点部は、幅方向に延びており、吸収コアの厚さ方向の変形基点を幅方向に延びるように形成できる。よって、腰周り伸縮部と変形基点部によって脚周り伸縮部よりも前側の領域における吸収コアの変形をコントロールできる。
【００１０】
好ましい一態様によれば、前記前後方向に伸縮し、着用者側に起立する収縮部と、前記収縮部よりも前記前後方向の両外側において前記収縮部の起立支点となる前後基端部と、を有する一対の防漏ギャザーを備え、前記一対の防漏ギャザーは、前記幅方向に間隔を空けて配置されており、前記前後基端部の少なくとも一部は、前記前後方向における前記腰周り伸縮部と前記変形基点部の間に配置されてよい。
【００１１】
本態様によれば、腰周り伸縮部と変形基点部の間に配置された前後基端部は、収縮部によって後側に引っ張れる。腰周り伸縮部の収縮に起因した幅方向の内側に引き寄せられる変形を、前後基端部が変形基点部に向かって後側に伝達し、変形基点部による厚さ方向の折れ線をより形成し易い。
【００１２】
好ましい一態様によれば、前記変形基点部の少なくとも一部は、前記幅方向において前記一対の防漏ギャザーの前記前後基端部間に配置されてよい。
【００１３】
本態様によれば、幅方向において前後基端部によって挟まれ、かつ前後方向において腰周り伸縮部と変形基点部によって挟まれた領域は、変形基点部を基点として着用者側に向かって変形し、身体の膨らみを覆うような曲線状のカップ形状を実現できる。
【００１４】
好ましい一態様によれば、前記前後基端部の少なくとも一部は、前記吸収コアと重なる領域に配置されてよい。
【００１５】
本態様によれば、前後基端部と重なっている領域の吸収コアは、防漏ギャザーの起立性によって、左右の前後基端部間の領域の吸収コアよりも着用者側に近づくように変形する。吸収コアは、前後基端部が変形基点となり、幅方向に沿った断面において曲線状のカップ形状に変形し易い。よって、吸収コアが、腹部の膨らみを覆うような形状となり易い。
【００１６】
好ましい一態様によれば、前記変形基点部の前端縁は、前記収縮部の前端縁よりも前側に位置してよい。
【００１７】
防漏ギャザーの収縮部よりも前側の領域は、当該防漏ギャザーの収縮力が作用し難い領域であり、意図しない形状で変形するおそれがある。本態様によれば、当該領域の変形を変形基点部によってコントロールできる。
【００１８】
好ましい一態様によれば、前記変形基点部の外側縁は、前記前後基端部の内側縁よりも前記幅方向の外側に位置してよい。
【００１９】
本態様によれば、左右の前後基端部によって挟まれた領域の全域にわたって、吸収コアの変形をコントロールし易い。
【００２０】
好ましい一態様によれば、前記使い捨ておむつの前記幅方向の中心において、前記腰周り伸縮部は、前記吸収コアと前記前後方向に離間してよい。
【００２１】
本態様によれば、腰周り伸縮部と吸収コアと重ならない領域では、腰周り伸縮部の収縮力がより作用し易くなり、腰周り伸縮部によっておむつの前端縁を幅方向の内側に引き寄せる変形をより実現し易くなる。
【００２２】
好ましい一態様によれば、前記腰周り伸縮部の後端縁における前記幅方向の中心は、前記腰周り伸縮部の後端縁における前記幅方向の側縁よりも前側に配置されてよい。
【００２３】
本態様によれば、腰周り伸縮部の幅方向の中心における収縮量よりも、腰周り伸縮部の幅方向の側部の収縮量が多くなり、吸収コアよりも前側の領域では、吸収コアの幅方向の中心側かつ前後方向の前側（斜め上向き）に向かって引き寄せられる。吸収コアよりも前側の領域では、使い捨ておむつの前端縁に向かって先細り形状により変形し易い。そのため、使い捨ておむつの前端縁から変形基点部までの間の領域では、使い捨ておむつの前端縁から後側に向かって幅方向に広がるカップ形状を形成できる。
【００２４】
好ましい一態様によれば、前記変形基点部は、前記吸収コアの前記幅方向の中心に向かって後側に延びてよい。
【００２５】
本態様によれば、腰周り伸縮部の収縮によっておむつの前端縁が幅方向の中心に向かって収縮するため、吸収コアよりも前側の領域では、前端縁に向かって先細り形状に変形し、吸収コアにおいて幅方向に延びる折れ線は、吸収コアの幅方向の中央に向かって後側に延びる形状になりやすい。変形基点部の形状は、腰周り伸縮部の収縮によって形成される折れ線に沿う形状となるため、吸収コアの変形基点として変形基点部がより機能し易くなる。
【００２６】
好ましい一態様によれば、前記変形基点部の外側縁から前記変形基点部に沿って前記幅方向の外側に延びる延長線は、前記吸収コアの外側縁と交差してよい。
【００２７】
本態様によれば、変形基点部を基点とした変形を吸収コアの外側縁まで導き易く、吸収コアの幅方向の全域にわたって厚さ方向に変形させ易くなる。
【００２８】
好ましい一態様によれば、前記変形基点部は、前記吸収コアの前記幅方向の中心を跨いでよい。
【００２９】
本態様によれば、吸収コアの幅方向の中心を挟んで両側に配置された構成と比較して、変形基点部間において力が分断されず、吸収コアを厚さ方向に変形させ易くなる。
【００３０】
好ましい一態様によれば、前記吸収コアの前端縁には、切り欠き部が形成されてよい。
【００３１】
本態様によれば、切り欠き部において吸収コアが変形し易くなり、おむつの前端縁側から変形基点部まで延びる皺が切り欠き部から延びる。前後方向に延びる皺の位置をコントロールでき、より意図した形状のおむつの変形を実現できる。
【００３２】
好ましい一態様によれば、前記切り欠き部は、前記幅方向に間隔を空けて複数設けられてよい。
【００３３】
本態様によれば、使い捨ておむつの前端縁側から変形基点部まで延びる皺が幅方向に間隔を空けて複数形成される。幅方向に一定の間隔を空けて当該皺が形成されるため、幅方向に沿った断面において、おむつの変形基点が複数形成され、より身体の丸みに沿うような形状を実現できる。
【００３４】
好ましい一態様によれば、前記変形基点部は、前記切り欠き部から前記前後方向に延びる延長線上に配置されてよい。
【００３５】
本態様によれば、切り欠き部から後側に延びる皺を変形基点部において受け、吸収コアが厚さ方向に変形し易くなる。また、おむつの前端縁側から後側に延びる皺を変形基点部において分断でき、変形基点部の前側の領域と後側の領域とで異なる形状を実現できる。
【００３６】
好ましい一態様によれば、前記腰周り伸縮部の収縮力は、前記脚周り伸縮部の収縮力よりも高くてよい。
【００３７】
本態様によれば、腰周り伸縮部の収縮力が比較的高いため、左右の脚周り伸縮部間が身体から離れるような変形よりも、変形基点部を基点に厚さ方向に折れる変形を実現し易くなる。
【００３８】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３９】
実施の形態に係る使い捨ておむつは、テープ型の使い捨ておむつである。しかし、本発明の使い捨ておむつは、テープ型の使い捨ておむつに限定されず、パンツ型の使い捨ておむつであってもよい。図１は、本実施形態に係る使い捨ておむつ１０の肌面側から見た平面図であり、図２は、実施形態に係る吸収コアを肌面側から見た平面図である。図１及び図２に示す平面図は、伸長状態の使い捨ておむつを示している。図３は、伸長状態の使い捨ておむつのＡ−Ａ断面に沿った模式断面図である。図４は、伸長状態の使い捨ておむつのＢ−Ｂ断面に沿った模式断面図である。図５は、自然状態の使い捨ておむつのＢ−Ｂ断面に沿った模式断面図である。図６は、伸長状態の使い捨ておむつのＣ−Ｃ断面に沿った模式断面図である。図７は、自然状態の使い捨ておむつのＣ−Ｃ断面に沿った模式断面図である。
【００４０】
なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。自然状態は、後述する腰周り伸縮部４５、脚周り伸縮部４２、及び防漏ギャザーの収縮部６３が収縮した状態である。
【００４１】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌面側Ｔ１と、肌面側と反対側の非肌面側Ｔ２と、に延びる。
【００４２】
使い捨ておむつ１０は、前胴周り域Ｓ１と、後胴周り域Ｓ２と、股下域Ｓ３と、を有する。前胴周り域Ｓ１は、着用者の前胴周り（腹部）に対向する領域である。後胴周り域Ｓ２は、着用者の後胴周り（背部）に対向する領域であり、装着時に身体（臀部）が載せられる領域を含む。股下域Ｓ３は、着用者の股下に位置し、前胴周り域Ｓ１と後胴周り域Ｓ２との間に配置された領域である。股下域Ｓ３は、着用者の脚周りに配置される脚周り開口部６５が設けられた領域である。脚周り開口部６５は、使い捨ておむつ１０の外側縁から幅方向の内側に凹む部分である。
【００４３】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。また、外端縁は、前後方向における外縁であり、内端縁は、前後方向における内縁である。また、本発明において重なっている状態とは、平面視にて一方の部材と他方の部材が重なっている状態であり、一方の部材の肌面側又は非肌面側に他方の部材が配置されている状態である。重なっている状態では、一方の部材と他方の部材が互いに接している状態のみならず、一方の部材と他方の部材の間に他の部材が介在している構成も含む。
【００４４】
使い捨ておむつ１０は、吸収材料を含む吸収コア３１を含む。吸収コア３１は、少なくとも股下域Ｓ３に配置されてよく、前胴周り域Ｓ１にも配置されていてよいし、後胴周り域Ｓ２にも配置されていてよい。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体３０が構成されてよい。コアラップ３２は、テッシュによって構成され、吸収コア３１の肌面側Ｔ１と吸収コア３１の非肌面側Ｔ２に配置されてよい。
【００４５】
使い捨ておむつ１０は、吸収コア３１を厚さ方向Ｔに変形させるための変形基点部８０を有する。変形基点部８０は、吸収コア３１の変形基点となればよく、吸収コア３１を厚さ方向に圧縮したエンボス部、吸収材料の坪量が周囲よりも低い低坪量部、吸収材料が配置されていないスリット、及び吸収コア３１を厚さ方向Ｔに切断した切断部の少なくともいずれかによって構成されてよい。変形基点部８０は、変形基点の縁となる基点縁８０Ｇを有する。基点縁８０Ｇは、吸収コア３１の厚さの折れ線が形成される縁である。本実施の形態の基点縁８０Ｇは、変形基点部８０において幅方向Ｗに延びる縁である。吸収コア３１は、基点縁８０Ｇを基点に曲がってよい。
【００４６】
図１及び図３に示すように、吸収コア３１を含む吸収体３０の肌面側Ｔ１には、表面シート２１及びサイドシート２２が設けられてよい。表面シート２１は、吸収体３０の幅方向Ｗの中心を跨いで配置されてよい。サイドシート２２は、表面シート２１の外側部を覆うように配置されてよい。表面シート２１及びサイドシート２２は、例えば不織布や開孔プラスチックフィルムのような透液性シートによって構成されていてよい。サイドシート２２の内側部は、折り返されて重なってよい。重なったサイドシート２２間には、前後方向Ｌに伸縮する防漏弾性部材６１が設けられてよい。防漏弾性部材６１は、前後方向Ｌに伸縮する糸ゴムによって構成されてよい。サイドシート２２と防漏弾性部材６１は、糸ゴムの収縮によって起立し、自然状態において着用者側に起立する防漏ギャザー６０を構成する。防漏ギャザー６０は、使い捨ておむつ１０の幅方向Ｗの中心に対する幅方向Ｗの両側にそれぞれ配置されている。一対の防漏ギャザー６０は、幅方向Ｗに間隔を空けて配置されている。
【００４７】
防漏ギャザー６０は、着用者側に起立する収縮部６３と、収縮部６３よりも前後方向Ｌの両外側において収縮部６３の起立支点となる前後基端部６４と、収縮部６３よりも幅方向Ｗの外側において収縮部６３の起立支点となる幅基端部６２と、を有してよい。前後基端部６４は、収縮部６３よりも前後方向Ｌの両外側においてサイドシート２２と表面シート２１が接合された領域である。幅基端部６２は、収縮部６３よりも幅方向Ｗの外側においてサイドシート２２と表面シート２１が接合された領域である。収縮部６３は、サイドシート２２が表面シート２１に接合されてなく、防漏弾性部材６１によって収縮可能な部分であり、非伸長状態の防漏弾性部材６１が配置された部分を含まない。
【００４８】
吸収体３０の非肌面側Ｔ２には、裏面シート２３及び外装シート２４が設けられてよい。外装シート２４は、裏面シート２３の非肌面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００４９】
後胴周り域Ｓ２には、ファスニングテープ９１が設けられている。ファスニングテープ９１は、後胴周り域Ｓ２に配置され、かつ前胴周り域Ｓ１に止着可能に構成されている。ファスニングテープ９１は、ベース部９２と係止部９３を有する。ベース部９２は、厚さ方向Ｔにおいて外装シート２４及びサイドシート２２の間に配置され、幅方向Ｗにおいて外装シート２４及びサイドシート２２から外側に延出している。係止部９３は、ベース部９２上に配置されており、ターゲット部（図示せず）に係合してよい。ターゲット部（図示せず）は、前胴周り域Ｓ１において幅方向Ｗに間隔を空けて配置されており、ファスニングテープ９１がそれぞれ止着するように構成されている。また、変形例において、使い捨ておむつ１０がターゲット部を備えてなく、前胴周り域の外装シートに係止部９３が止着するように構成されていてもよい。
【００５０】
使い捨ておむつ１０は、吸収コア３１よりも幅方向Ｗの外側において前後方向Ｌに伸縮する脚周り伸縮部４２を有してよい。脚周り伸縮部４２は、サイドシート２２と裏面シート２３の間、及びサイドシート２２と外装シート２４の間に設けられてよい。脚周り伸縮部４２は、前後方向Ｌに伸縮する糸状の弾性部材によって構成されている。糸状の弾性部材は、使い捨ておむつ１０の左右それぞれに複数本ずつ配置されてきる。なお、変形例に係る脚周り伸縮部４２は、帯状の伸縮シートによって構成されてよい。脚周り伸縮部４２の収縮によって、着用時に使い捨ておむつ１０の脚周り開口部６５が脚周りにフィットする。
【００５１】
使い捨ておむつ１０は、使い捨ておむつ１０の後端部において幅方向Ｗに延びる腰周り伸縮部４５を有してよい。腰周り伸縮部４５は、裏面シート２３と外装シート２４の間、表面シート２１と外装シート２４の間、及びサイドシート２２と外装シート２４の間に設けられてよい。腰周り伸縮部４５の少なくとも一部は、吸収コア３１よりも前側に位置してよい。腰周り伸縮部４５の後端縁４５Ｒは、吸収コア３１の前端縁３１Ｆよりも前側に位置してよい。腰周り伸縮部４５は、使い捨ておむつ１０の幅方向Ｗの中心を跨いで配置されている。腰周り伸縮部４５は、吸収コア３１よりも幅方向Ｗの外側に延出してよい。腰周り伸縮部４５は、幅方向Ｗに伸縮する帯状の伸縮シートによって構成されている。なお、変形例に係る腰周り伸縮部４５は、前後方向Ｌに間隔を空けて複数配置された糸状の弾性部材によって構成されてよい。
【００５２】
（３）使い捨ておむつの前側領域の変形態様
次いで、このように構成された使い捨ておむつ１０の前側領域ＦＲの変形態様について詳細に説明する。本発明に係る使い捨ておむつ１０は、前側領域ＦＲの変形をコントロールし易く構成されている。従来技術では、使い捨ておむつをパッケージから取り出した使用前の状態において、脚周り伸縮部の前端縁よりも後側の領域は、脚周り伸縮部の収縮によって厚さ方向に膨らむように変形し、脚周り伸縮部の前端縁よりも前側の領域も、脚周り伸縮部の前端縁よりも後側の領域の変形に伴って膨らむように変形する。脚周り伸縮部よりも前側の領域が厚さ方向に膨らむように変形すると、ウエスト開口近傍が身体から離れるような変形等、意図しない変形が発生するおそれがある。このように、脚周り伸縮部よりも前側の領域の変形をコントロールできないことにより、装着時において脚周り伸縮部よりも前側の領域が意図しない形状となり、装着者は、使い捨ておむつの使用前にフィット性及び漏れに対する安心感を得られないことがあった。また、従来技術では、着用時においても、脚周り伸縮部よりも前側の領域が、身体から離れるような変形等、意図しない変形が発生し、身体に対するフィット性を確保できないことがある。脚周り伸縮部よりも前側の領域の意図しない変形に起因して、おむつのフィット性が低下したり、吸収コアと身体との隙間が発生したりして、装着感が悪化することがあった。
【００５３】
本実施の形態の使い捨ておむつは、使用前にフィット性及び漏れに対する安心感を付与したり、装着感が悪化を抑制したりするように構成されている。前側領域ＦＲは、図１に示すように、脚周り伸縮部４２よりも前側の領域である。前側領域ＦＲの前端縁は、使い捨ておむつ１０の前端縁１０Ｆであり、前側領域ＦＲの後端縁は、脚周り伸縮部４２の前端縁４２Ｆである。
【００５４】
前側領域ＦＲには、腰周り伸縮部４５と変形基点部８０が設けられており、腰周り伸縮部４５と変形基点部８０によって前側領域ＦＲの変形をコントロールできる。図８及び図９は、使い捨ておむつの前胴周り域の部分拡大平面図である。図８は、肌面側からみた状態であり、図９は、非肌面側からみた状態である。図８（ａ）及び図９（ａ）は、伸長状態を示しており、図８（ｂ）及び図９（ｂ）は、前側領域ＦＲが腰周り伸縮部４５及び変形基点部８０によって変形した変形状態を示した図である。
【００５５】
変形基点部８０は、前側領域ＦＲにおいて幅方向Ｗに延びている。腰周り伸縮部４５は、吸収コア３１よりも前側に位置し、吸収コア３１よりも前側の領域を幅方向Ｗに収縮させる。腰周り伸縮部４５が吸収コア３１よりも前側に位置し、かつ吸収コア３１が配置された領域が吸収コア３１の剛性によって幅方向Ｗに収縮し難いため、吸収コア３１よりも前側の領域が、吸収コア３１が配置された領域よりも幅方向Ｗに収縮する。この腰周り伸縮部４５による幅方向Ｗに収縮する変形は、後側に向かって延び、変形基点部８０まで到達する。また、腰周り伸縮部４５がおむつ１０の幅方向Ｗの中心を跨いでいるため、吸収コア３１よりも前側の領域は、幅方向Ｗの中心側に向かって収縮する。腰周り伸縮部４５の収縮に起因しておむつ１０の前端縁１０Ｆから後側に向かって延びる皺が形成される。この皺は、おむつ１０の幅方向Ｗの中心では、後側に向かって前後方向Ｌに沿って延び、おむつ１０の幅方向Ｗの側部では、前側から後側に向かって幅方向Ｗの外側に延びる。よって、吸収コア３１よりも前側の領域では、使い捨ておむつの前端縁１０Ｆに向かって先細り形状に変形する。
【００５６】
腰周り伸縮部４５による幅方向Ｗに収縮する変形は、前後方向Ｌに連続せずに、変形基点部８０によって分断される。そのため、使い捨ておむつ１０の前端縁１０Ｆから変形基点部８０までの間の領域では、防漏ギャザー６０の収縮部６３の収縮によって使い捨ておむつ１０の前端縁１０Ｆが肌面側に引き寄せられることにより、使い捨ておむつ１０の前端縁１０Ｆから後側に向かって幅方向Ｗに広がるカップ形状が形成される。よって、使用前において、腹部の膨らみに沿うような形状を実現できる。
【００５７】
吸収コア３１の前端縁３１Ｆが幅方向Ｗの内側に引き寄せられることによって吸収コア３１の前端縁３１Ｆから後側に伝達される力が変形基点部８０に伝わり、変形基点部８０よりも前側の領域が変形基点部８０よりも後側の領域に対して厚さ方向Ｔに変形する（図７参照）。変形基点部８０は、幅方向Ｗに延びており、吸収コア３１の厚さ方向の変形基点を幅方向Ｗに延びるように形成できる。当該変形基点部８０による吸収コア３１の折れ線が下腹部のくびれ付近に形成されることにより、着用者の下腹部の凹みにフィットできる。なお、図１０に示すように、使用前に使い捨ておむつの前後方向の中央に設けられた折り目を基点に二つに折り畳まれたおむつにあっては、図７に示す自然状態においては、折り目の近傍では、折り目を挟んだ前後方向の両側が折り癖によって対向している。
【００５８】
腰周り伸縮部４５と変形基点部８０によって脚周り伸縮部４２よりも前側の領域における吸収コア３１の変形をコントロールできるため、使用前におむつ１０が身体に沿うような形状を実現できる。図１０は、パッケージから使い捨ておむつ１０を取り出した状態を示しており、使用前の状態を示している。図１０（ａ）は、比較例に係る使い捨ておむつであり、（ｂ）は、実施の形態に係る使い捨ておむつである。パッケージから取り出した状態で、使い捨ておむつ１０は、使い捨ておむつ１０の幅方向Ｗの側部が肌面側に折り畳まれた状態で、前後方向Ｌに２つに折り畳まれている。そのため、図１０に示す使い捨ておむつは、非肌面側が外側であって、前胴周り域Ｓ１が上側に向かって配置されている。
【００５９】
比較例に係る使い捨ておむつ１０の脚周り伸縮部４２よりも前側の領域は、使用前の状態で、脚周り伸縮部４２の前後方向Ｌに収縮によって後側に引っ張られ、非肌面側に向かって浮き上がっている。一般的に、着用者には、下腹部の凹みが形成されており、おむつの前端部が全体的に非肌面側に膨らんでいると、使用者は、着用者の下腹部にフィットしない印象となり、フィット性に対する安心感を得にくいことがある。
【００６０】
これに対して、実施形態に係る使い捨ておむつ１０の脚周り伸縮部４２よりも前側の領域は、上述のように、腰周り伸縮部４５によって幅方向Ｗに収縮するとともに、変形基点部８０によって厚さ方向Ｔに変形する。そのため、おむつの前端部が全体的に非肌面側に膨らまず、変形基点部８０に沿った幅方向Ｗに延びる折り線が形成されている。よって、使用者は、着用者の下腹部に折り線部分がフィットする印象となり、フィット性に対する安心感を得ることができる。
【００６１】
実施形態に係る使い捨ておむつ１０は、着用中においては、吸収コア３１によって身体を覆い続け、漏れの発生を抑制できる。また、吸収コア３１の変形基点部８０による折れ線によって幅方向Ｗに対する突っ張りが働き、吸収コア３１の幅方向Ｗに折れ難くなる。吸収コア３１の幅方向Ｗの長さを確保し易くなり、吸収コア３１によって身体を覆う面積を確保し、漏れを抑制できる。
【００６２】
なお、腰周り伸縮部４５の少なくとも一部が、前側領域ＦＲに配置されていればよく、腰周り伸縮部４５は、前側領域ＦＲよりも後側にも配置されていてもよい。同様に、変形基点部８０の少なくとも一部が、前側領域ＦＲに配置されていればよく、腰周り伸縮部４５は、前側領域ＦＲよりも後側にも配置されてもよい。また、変形基点部８０が幅方向Ｗに延びる構成は、幅方向Ｗに対して平行に延びる構成のみならず、幅方向Ｗに対する角度が４５度以下の角度で幅方向Ｗに対して傾斜する構成も含む概念である。
【００６３】
変形基点部８０による吸収コア３１の厚さ方向Ｔの変形は、肌面側Ｔ１に向かって凸状となる変形であってもよいし、非肌面側Ｔ２側に向かって凸状となる変形であってもよい。より好適には、変形基点部８０による吸収コア３１の厚さ方向Ｔの変形は、図７に示すように、肌面側Ｔ１に向かって凸状となる変形であってよい。変形基点部８０は、吸収コア３１の非肌面側同士が近づくように変形させるように構成されてよい。具体的には、変形基点部は、非肌面側Ｔ２から肌面側Ｔ１側に向かって吸収コア３１を圧縮した圧搾部、非肌面側から肌面側に向かって凹む形状の低坪量部によって構成されてよい。
【００６４】
防漏ギャザー６０の前後基端部６４の少なくとも一部は、前後方向Ｌにおける腰周り伸縮部４５と変形基点部８０の間に配置されてよい。腰周り伸縮部４５と変形基点部８０の間に配置された前後基端部６４は、収縮部６３によって後側に引っ張れる。よって、腰周り伸縮部４５の収縮に起因した幅方向Ｗの内側に引き寄せられる変形を、前後基端部６４が変形基点部８０に向かって後側に伝達することができ、変形基点部８０による厚さ方向Ｔの折れ線がより形成され易くなる。
【００６５】
また、変形基点部８０は、幅方向Ｗにおいて左右の防漏ギャザーの前後基端部６４間に配置されている。よって、左右の前後基端部６４のそれぞれを介して変形基点部８０に力を伝達できる。防漏ギャザー６０の収縮部６３は、着用者側に起立するように収縮している。図５に示すように、左右の防漏ギャザー６０のそれぞれが、左右の防漏ギャザー６０間の領域に対して着用者側に近づく方向に変形することで、おむつ１０の幅方向Ｗに沿った断面において、幅方向Ｗの中心側よりも幅方向Ｗの側部側から身体側に近づくような曲線形状を実現できる。使用前におむつ１０が身体に沿うような形状を実現できるとともに、吸収コア３１によって身体を覆い続け、漏れの発生を抑制できる。
【００６６】
変形基点部８０の少なくとも一部は、幅方向Ｗにおいて一対の防漏ギャザー６０の前後基端部６４間に配置されてよい。防漏ギャザー６０の収縮による幅方向Ｗに沿った断面の曲線状のカップ形状を、変形基点部８０よりも前側の領域で形成でき、変形基点部８０によって当該曲線状のカップ形状を前後方向Ｌにおいて分断できる。幅方向Ｗにおいて前後基端部６４によって挟まれ、かつ前後方向Ｌにおいて腰周り伸縮部４５と変形基点部８０によって挟まれた領域は、変形基点部８０を基点として厚さ方向に変形し、身体の膨らみを覆うような曲線状のカップ形状を実現できる。変形基点部８０よりも後側の領域では、腰周り伸縮部による皺を抑制できる。
【００６７】
前後基端部６４の少なくとも一部は、吸収コア３１と重なる領域に配置されてよい。図５に示すように、前後基端部６４と重なっている領域の吸収コア３１は、左右の前後基端部６４間の領域の吸収コア３１よりも着用者側に近づくように変形する。そのため、吸収コア３１は、前後基端部６４が変形基点となって、幅方向Ｗに沿った断面において曲線状のカップ形状に変形し易い。よって、吸収コア３１が、腹部の膨らみを覆うような形状となり易い。
【００６８】
変形基点部８０の前端縁８０Ｆは、防漏ギャザー６０の収縮部６３の前端縁６３Ｆよりも前側に位置してよい。防漏ギャザー６０の収縮部６３の前端縁６３Ｆよりも前側の領域は、当該防漏ギャザー６０の収縮力が作用し難い領域であり、意図しない形状で変形するおそれがある。本態様によれば、当該領域の変形を変形基点部８０によってコントロールできる。より好適には、変形基点部８０の後端縁８０Ｒは、防漏ギャザー６０の収縮部６３の前端縁６３Ｆよりも前側に位置してよい。収縮部６３よりも前側の領域に、変形基点部８０の前端縁８０Ｆ（８０Ｇ）と変形基点部８０の後端縁８０Ｒ（８０Ｇ）による２つの変形基点を少なくとも設けることができる。当該２つの変形基点によって前側領域ＦＲの変形をコントロールすることにより、前側領域の意図しない変形をより抑制できる。
【００６９】
使い捨ておむつ１０の幅方向Ｗの中心において、腰周り伸縮部４５は、吸収コア３１と前後方向Ｌに離間してよい。なお、腰周り伸縮部４５は、少なくとも使い捨ておむつ１０の幅方向Ｗの中心において吸収コア３１と前後方向Ｌに離間していればよく、腰周り伸縮部４５の幅方向Ｗの全域にわたって吸収コア３１と前後方向Ｌに離間していてもよい。腰周り伸縮部４５と吸収コア３１と重ならない領域では、腰周り伸縮部４５の収縮力がより作用し易くなり、腰周り伸縮部４５によっておむつ１０の前端縁１０Ｆを幅方向Ｗの内側に引き寄せる変形をより実現し易くなる。また、吸収コア３１よりも前側の領域には、腰周り伸縮部４５の有無による剛性差が形成される。吸収コア３１よりも前側の領域は、当該剛性差を基点としても変形する。身体の上下方向において複数の変形基点が形成され、使用前に身体に沿う形状をより実現し易く、また着用時に腹部の膨らみにより沿い易くなる。
【００７０】
腰周り伸縮部４５の後端縁における幅方向Ｗの中心は、腰周り伸縮部４５の後端縁における幅方向Ｗの側縁よりも前後方向Ｌの内側に配置されているよい。本実施の形態の腰周り伸縮部４５は、伸縮性シートによって構成されており、伸長前の状態で矩形であり、幅方向Ｗに伸長した状態で、伸縮性シートの幅方向Ｗの中心が伸縮性シートの側縁よりも幅方向Ｗの内側に凹んでいる（所謂、ネックインしている）。使い捨ておむつ１０の製造時には、使い捨ておむつ１０が前後方向Ｌに連続した状態で製造し、使い捨ておむつ１０の前端縁１０Ｆ側に配置された腰周り伸縮部４５と、使い捨ておむつ１０の後端縁側に配置された第２腰周り伸縮部４４（図１参照）と、が一体化した状態で設けられる。そのため、腰周り伸縮部４５の後端縁４５Ｒにおいて、腰周り伸縮部４５の幅方向Ｗの中心は、腰周り伸縮部４５の幅方向Ｗの側縁よりも前後方向Ｌの内側に配置されている。腰周り伸縮部４５の後端縁４５Ｒは、前側に向かって膨らむ湾曲形状である。
【００７１】
腰周り伸縮部４５の幅方向Ｗの側縁を含む側部は、腰周り伸縮部４５の幅方向Ｗの中心よりも前後方向Ｌに伸長している。腰周り伸縮部４５の収縮時に、腰周り伸縮部４５の側部は、腰周り伸縮部４５の幅方向Ｗの中心よりも前後方向Ｌに収縮する。そのため、腰周り伸縮部４５の幅方向Ｗの中心における収縮量よりも、腰周り伸縮部４５の幅方向Ｗの側部の収縮量が多くなり、吸収コア３１よりも前側の領域では、吸収コア３１の幅方向Ｗの中心側かつ前後方向Ｌの前側（斜め上向き）に向かって引き寄せられる 。吸収コア３１よりも前側の領域では、前端縁に向かって先細り形状により変形し易い。そのため、おむつ１０の前端縁１０Ｆから変形基点部８０までの間の領域では、前端縁から後側に向かって幅方向Ｗに広がるカップ形状を形成できる。
【００７２】
腰周り伸縮部４５による吸収コア３１の収縮を実現するために、腰周り伸縮部４５の幅方向Ｗの長さは、吸収コア３１の幅方向Ｗの長さに対する５０％以上であってよい。より好適には、腰周り伸縮部４５は、吸収コア３１よりも幅方向Ｗの外側に延出してよい。本実施の形態の腰周り伸縮部４５は、吸収コア３１よりも幅方向Ｗの外側に延出し、前後基端部６４よりも幅方向Ｗの外側に延出し、脚周り伸縮部４２よりも幅方向Ｗの外側に延出している。
【００７３】
図２に示すように、変形基点部８０は、吸収コア３１の幅方向Ｗの中心に向かって後側に延びてよい。換言すると、吸収コア３１の幅方向Ｗの中心側に位置する変形基点部８０は、吸収コア３１の幅方向Ｗの側縁側に位置する変形基点部８０よりも後側に配置されている。変形基点部８０は、直線状に傾斜した形状であってもよいし、本実施の形態のように、後側に膨らむ湾曲形状であってもよい。腰周り伸縮部４５の収縮によっておむつ１０の前端縁１０Ｆが幅方向Ｗの中心に向かって収縮するため、吸収コア３１よりも前側の領域では、前端縁に向かって先細り形状に変形し、吸収コア３１において幅方向Ｗに延びる折れ線（図１０（ｂ）参照）は、吸収コア３１の幅方向Ｗの中央に向かって後側に延びる形状になりやすい。腰周り伸縮部４５の収縮によって形成される折れ線に、変形基点部８０が沿う形状であるため、吸収コア３１の変形基点として、変形基点部８０がより機能し易くなる。
【００７４】
変形基点部８０の外側縁８０Ｅから変形基点部８０に沿って幅方向Ｗの外側に延びる延長線ＦＬ８０は、吸収コア３１の外側縁３１Ｅと交差してよい。変形基点部８０を基点とした変形を吸収コア３１の外側縁まで導き易く、吸収コア３１の幅方向Ｗの全域にわたって厚さ方向に変形させ易くなる。変形基点部８０の外側縁は、吸収コア３１の外側縁よりも幅方向Ｗの内側に位置してよい。好適には、変形基点部８０によって吸収コア３１の厚さ方向の変形を実現するために、変形基点部８０の幅方向Ｗの長さは、吸収コア３１の幅方向Ｗの長さに対する５０％以上であってよい。また、変形基点部８０の外側縁は、前後基端部６４の内側縁よりも幅方向Ｗの外側に位置してよい。当該構成によれば、左右の前後基端部６４によって挟まれた領域の全域にわたって、変形基点部８０によっておむつ１０の変形をコントロールできる。好適には、幅方向Ｗにおいて、変形基点部８０は、左右の前後基端部６４の内側縁間に挟まれた領域の全体に亘って連続してよい。左右の前後基端部６４によって挟まれた領域の全域にわたって、おむつ１０の変形をよりコントロールしやすくなる。
【００７５】
変形基点部８０は、吸収コア３１の幅方向Ｗの中心を跨いでよい。吸収コア３１の幅方向Ｗの中心を挟んで両側に配置された構成と比較して、変形基点部８０間において力が分断されず、吸収コア３１を厚さ方向に変形させ易くなる。好適には、変形基点部８０は、吸収コア３１の幅方向Ｗの中心を通り、前後方向Ｌに延びるコア中心線３１ＷＬに対する幅方向Ｗの両側にそれぞれ配置され、両側の変形基点部８０は、コア中心線３１ＷＬに対して線対称であってよい。コア中心線３１ＷＬに対する両側において同じような形状で変形させることができる。また、変形例において、変形基点部８０は、幅方向Ｗに離間して複数配置され、吸収コア３１の幅方向Ｗの中心を挟んで一対で設けられてよい。具体的には、変形基点部８０は、コア中心線３１ＷＬに配置されず、コア中心線３１ＷＬよりも幅方向Ｗの一方側に位置する変形基点部８０と、コア中心線３１ＷＬよりも幅方向Ｗの他方側に位置する変形基点部８０と、を有していてもよい。当該変形例によっても、吸収コア３１のコア中心線３１ＷＬを含んだ幅方向Ｗの一定範囲にわたって、吸収コア３１を厚さ方向に変形させることができる。
【００７６】
吸収コア３１の前端縁３１Ｆには、切り欠き部３５が形成されてよい。切り欠き部３５は、前端縁から後側に向かって延びてよく、前後方向Ｌに平行であってもよいし、前後方向Ｌに対して傾斜しつつ後側に向かって延びてもよい。また、切り欠き部３５は、前後方向Ｌに延びる切り込みであってもよいし、幅方向Ｗに延びる一定の範囲にわたって吸収材料が配置されていない領域であってもよい。切り欠き部３５において吸収コア３１が変形し易くなり、おむつ１０の前端縁１０Ｆ側から変形基点部８０まで延びる皺が切り欠き部３５に形成される。前後方向Ｌに延びる皺の位置をコントロールでき、より意図した形状の変形を実現できる。また、腰周り伸縮部４５の収縮によって吸収コア３１の前端縁３１Ｆが幅方向Ｗに収縮し易くなり、おむつ１０の前端縁１０Ｆに向かう先細り形状をより実現し易くなる。
【００７７】
切り欠き部３５は、幅方向Ｗに間隔を空けて複数設けられてよい。当該構成によれば、吸収コア３１の前端縁３１Ｆに幅方向に間隔を空けて複数の変形基点が形成される。幅方向Ｗに一定の間隔を空けて当該皺が形成されるため、幅方向Ｗに沿った断面において、吸収コア３１の前端縁３１Ｆに変形基点が複数形成され、より身体の丸みに沿うような形状を実現できる。本実施の形態では、コア中心線３１ＷＬ上に配置された切り欠き部３５と、コア中心線３１ＷＬに対する幅方向Ｗの一方側に配置された切り欠き部３５と、コア中心線３１ＷＬに対する幅方向Ｗの他方側に配置された切り欠き部３５と、が設けられている。切り欠き部３５の後端縁は、収縮部の前端縁よりも前側であってよい。切り欠き部３５の前後方向の長さを長く形成することにより、吸収コアの変形基点及び変形による皺をよりコントロールできる。また、変形基点部８０よりも前側であってよい。切り欠き部３５の前後方向の長さを短く形成することにより、吸収コアの吸収面積を確保できる。また、切り欠き部３５は、吸収コア３１の幅方向Ｗの長さを３等分した領域のうち、幅方向Ｗの中央に位置する領域に配置されてよく、より好適には、幅方向Ｗの中央に位置する領域のみに配置されてよい。腰周り伸縮部４５により幅方向Ｗの中央側に引き寄せられる吸収コア３１の変形をより実現し易くなる。
【００７８】
切り欠き部３５から前後方向Ｌに延びる延長線３５ＦＬ上には、変形基点部８０が配置されてよい。おむつ１０の前端縁１０Ｆ側から後側に延びる皺を変形基点部８０において受け、吸収コア３１が厚さ方向に変形し易くなる。また、おむつ１０の前端縁１０Ｆ側から後側に延びる皺を変形基点部８０において分断でき、変形基点部８０の前側の領域と後側の領域とで異なる形状を実現できる。
【００７９】
腰周り伸縮部４５の収縮力は、脚周り伸縮部４２の収縮力よりも高くてよい。腰周り伸縮部４５の収縮力が高いほど、腰周り伸縮部４５の収縮に伴って変形基点部８０を基点に厚さ方向に変形し易くなる。また、脚周り伸縮部４２の収縮力が高いほど、吸収コア３１よりも幅方向Ｗの外側において脚周り伸縮部４２が着用者側に近づき、左右の脚周り伸縮部４２間が身体から離れるように変形し易い。腰周り伸縮部４５の収縮力が比較的高いため、左右の脚周り伸縮部４２間が身体から離れるような変形よりも、変形基点部８０を基点に厚さ方向に折れる変形を実現し易くなる。
【００８０】
本実施形態において、「腰周り伸縮部の収縮力」及び「脚回り伸縮部の収縮力」は、以下の方法によって測定される。まず、測定対象となる試験片を作成する。吸収性物品１０を伸長させた伸長状態において、腰周り伸縮部が配置された領域及び脚回り伸縮部が配置された領域を囲むように線を引く。次いで、線に沿って試験片を切り出す。次に、切り出した試験片の両端部を引張試験器のチャック（挟持具）によって挟持する。このとき、チャック間の距離を５０ｍｍとする。次に、チャックの一方を固定した状態で、チャック間の距離を変えるようにチャックのもう一方を移動させる。このときのチャックの移動スピードは、３００ｍｍ／ｍｉｎとする。なお、チャックの移動方向を変えるタイミングは、最大伸長時の９５％の地点とする。チャックの移動中に、チャックに係る応力を測定し、伸長状態から６０％（一定幅）の状態で得られた応力（Ｎ）を「収縮力」と定義する。このようにして、収縮力を得ることができる。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００８２】
上記実施形態では、吸収性物品１０は、テープ型の吸収性物品である。この代わりに、前胴回り域と後胴回り域を接合するサイド接合部を有するいわゆるパンツ型の吸収性物品であってもよい。パンツ型の吸収性物品における脚周り伸縮部は、伸縮性部材のうち脚回りに沿って配置される伸縮性部材であり、サイド接合部よりも前後方向Ｌの内側に位置する伸縮性部材である。脚回りに沿って配置される伸縮性部材がサイド接合部の股下側の端縁を跨ぐ構成にあっては、脚回り伸縮部の前端縁は、サイド接合部の股下側の端縁に一致する。
【産業上の利用可能性】
【００８３】
脚周り伸縮部よりも前側の領域の変形をコントロールし易い使い捨ておむつを提供することができる。
【符号の説明】
【００８４】
１０      ：使い捨ておむつ
２２      ：サイドシート
３１      ：吸収コア
３５      ：切り欠き部
４２      ：脚周り伸縮部
４５      ：腰周り伸縮部
６０      ：防漏ギャザー
６１      ：防漏弾性部材
６２      ：幅基端部
６３      ：収縮部
６４      ：前後基端部
８０      ：変形基点部
Ｌ        ：前後方向
Ｓ１      ：前胴周り域
Ｓ２      ：後胴周り域
Ｓ３      ：股下域
Ｔ        ：厚さ方向
Ｗ        ：幅方向
【図１】
2020195428.tif 000003
【図２】
2020195428.tif 000004
【図３】
2020195428.tif 000005
【図４】
2020195428.tif 000006
【図５】
2020195428.tif 000007
【図６】
2020195428.tif 000008
【図７】
2020195428.tif 000009
【図８】
2020195428.tif 000010
【図９】
2020195428.tif 000011
【図１０】
2020195428.tif 000012